【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
非基準色域を有する非基準タイプのディスプレイおよび基準色域を有する基準タイプのディスプレイの少なくとも１つを用いてソース・ピクチャ・コンテンツに対して色補正を実行するステップを含み、
前記実行ステップが、
前記ソース・ピクチャ・コンテンツをマスタリングするステップであって、非基準色域を有する前記非基準タイプのディスプレイに表示されるマスタリング済み色補正済みピクチャ・コンテンツを提供する、当該ステップと、
前記マスタリング済み色補正済みピクチャ・コンテンツを、基準色域を有する基準タイプのディスプレイに表示されるように色変換する色域マッピングのためのメタデータを生成するステップと、
を含み、
前記ソース・ピクチャ・コンテンツが、前記非基準色域を有する前記非基準タイプのディスプレイについてのみマスタリングされる、色補正を行う方法。
【請求項２】
前記メタデータが、前記マスタリング済み色補正済みピクチャ・コンテンツの帯域内および帯域外の少なくとも一方で前記基準タイプのディスプレイに提供されて最終的に消費される、請求項１に記載の方法。
【請求項３】
前記色補正を実行する前記ステップが、表示コンテンツが前記基準タイプのディスプレイ上にレンダリングされたときに、前記メタデータを使用して色域マッピングを実行して色補正の結果を検証するステップをさらに含む、請求項１に記載の方法。
【請求項４】
前記色域マッピングが、前記色補正中およびその後の消費者による消費中に適用される、請求項１に記載の方法。
【請求項５】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項１に記載の方法。
【請求項６】
非基準色域を有する非基準タイプのディスプレイおよび基準色域を有する基準タイプのディスプレイの少なくとも１つを用いてソース・ピクチャ・コンテンツに対して色補正を実行するステップを含み、
前記実行ステップが、
前記ソース・ピクチャ・コンテンツをマスタリングするステップであって、非基準色域を有する非基準タイプのディスプレイに表示されるマスタリング済み色補正済みピクチャ・コンテンツを提供する、当該ステップと、
前記非基準色域を有する前記非基準タイプのディスプレイに表示される前記マスタリング済み色補正済みピクチャ・コンテンツに適用される色域マッピングを用いて、前記ソース・ピクチャ・コンテンツをマスタリングして、基準色域を有する基準タイプのディスプレイに表示されるマスタリング済み色補正済みピクチャ・コンテンツを提供するステップと、
を含む、色補正を行う方法。
【請求項７】
前記基準色域を有する前記基準タイプのディスプレイに表示される前記マスタリング済み色補正済みピクチャ・コンテンツが、消費者装置で直接使用される、請求項６に記載の方法。
【請求項８】
前記基準色域を有する前記基準タイプのディスプレイに表示される前記マスタリング済み色補正済みピクチャ・コンテンツが、メタデータおよび前記非基準色域を有する前記非基準タイプのディスプレイに表示される前記マスタリング済み色補正済みピクチャ・コンテンツを用いて、消費者装置に表示される前に前記消費者装置によって再構築される、請求項６に記載の方法。
【請求項９】
前記ソース・ピクチャ・コンテンツをマスタリングする前記ステップが、前記基準タイプのディスプレイにおける前記非基準タイプのディスプレイをシミュレートする色域マッピングを用いて、前記マスタリング済み色補正済みピクチャ・コンテンツを前記基準タイプのディスプレイ上にレンダリングするステップを含む、請求項６に記載の方法。
【請求項１０】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項６に記載の方法。
【請求項１１】
前記基準色域を有する前記基準タイプのディスプレイに表示される前記マスタリング済み色補正済みピクチャ・コンテンツが、前記非基準色域を有する前記非基準タイプのディスプレイに表示される前記マスタリング済み色補正済みピクチャ・コンテンツからの派生物である、請求項６に記載の方法。
【請求項１２】
非基準色域を有する非基準タイプのディスプレイおよび基準色域を有する基準タイプのディスプレイの少なくとも１つを用いてソース・ピクチャ・コンテンツに対して色補正を実行して、非基準色域を有する非基準タイプのディスプレイに表示されるマスタリング済み色補正済みピクチャ・コンテンツを提供する色補正モジュールと、
色域マッピングを実行して、前記マスタリング済み色補正済みピクチャ・コンテンツを、基準色域を有する基準タイプのディスプレイに表示されるように色変換するその後の色域マッピングのためのメタデータを生成する色域マッピング・モジュールと、
を備え、
前記ソース・ピクチャ・コンテンツが、前記非基準色域を有する前記非基準タイプのディスプレイについてのみマスタリングされる、色補正を行うシステム。
【請求項１３】
前記メタデータが、前記マスタリング済み色補正済みピクチャ・コンテンツの帯域内および帯域外の少なくとも一方で前記基準タイプのディスプレイに提供されて最終的に消費される、請求項１２に記載のシステム。
【請求項１４】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項１２に記載のシステム。
【請求項１５】
非基準色域を有する非基準タイプのディスプレイおよび基準色域を有する基準タイプのディスプレイの少なくとも１つを用いてソース・ピクチャ・コンテンツに対して色補正を実行して、非基準色域を有する非基準タイプのディスプレイに表示されるマスタリング済み色補正済みピクチャ・コンテンツを提供する色補正モジュールと、
前記非基準色域を有する前記非基準タイプのディスプレイに表示される前記マスタリング済み色補正済みピクチャ・コンテンツに関する色域マッピングを実行して、基準色域を有する前記基準タイプのディスプレイに表示されるマスタリング済み色補正済みピクチャ・コンテンツを提供する色域マッピング・モジュールと、
を備える、色補正を行うシステム。
【請求項１６】
前記基準色域を有する前記基準タイプのディスプレイに表示される前記マスタリング済み色補正済みピクチャ・コンテンツが、消費者装置で直接使用される、請求項１５に記載のシステム。
【請求項１７】
前記基準色域を有する前記基準タイプのディスプレイに表示される前記マスタリング済み色補正済みピクチャ・コンテンツが、メタデータおよび前記非基準色域を有する前記非基準タイプのディスプレイに表示される前記マスタリング済み色補正済みピクチャ・コンテンツを用いて、消費者装置に使用される前に前記消費者装置によって再構築される、請求項１５に記載のシステム。
【請求項１８】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項１５に記載のシステム。
【請求項１９】
前記基準色域を有する前記基準タイプのディスプレイに表示される前記マスタリング済み色補正済みピクチャ・コンテンツが、前記非基準色域を有する前記非基準タイプのディスプレイに表示される前記マスタリング済み色補正済みピクチャ・コンテンツからの派生物である、請求項１５に記載のシステム。
【請求項２０】
非基準色域を有する非基準タイプのディスプレイおよび基準色域を有する基準タイプのディスプレイの少なくとも１つを用いてソース・ピクチャ・コンテンツに対して色補正を実行する手段を含み、
色補正を実行する前記手段が、
前記ソース・ピクチャ・コンテンツをマスタリングする手段であって、非基準色域を有する前記非基準タイプのディスプレイに表示されるマスタリング済み色補正済みピクチャ・コンテンツを提供する、当該手段と、
前記マスタリング済み色補正済みピクチャ・コンテンツを、基準色域を有する基準タイプのディスプレイに表示されるように色変換する色域マッピングのためのメタデータを生成する手段と、
を含み、
前記ソース・ピクチャ・コンテンツが、前記非基準色域を有する前記非基準タイプのディスプレイについてのみマスタリングされる、色補正を行うシステム。
【請求項２１】
前記メタデータが、前記マスタリング済み色補正済みピクチャ・コンテンツの帯域内および帯域外の少なくとも一方で前記基準タイプのディスプレイに提供されて最終的に消費される、請求項２０に記載のシステム。
【請求項２２】
色補正を実行する前記手段が、表示コンテンツが前記基準タイプのディスプレイ上にレンダリングされたときに、前記メタデータを使用して色域マッピングを実行して色補正の結果を検証する手段をさらに含む、請求項２０に記載のシステム。
【請求項２３】
前記色域マッピングが、前記色補正中およびその後の消費者による消費中に適用される、請求項２０に記載のシステム。
【請求項２４】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項２０に記載のシステム。
【請求項２５】
非基準色域を有する非基準タイプのディスプレイおよび基準色域を有する基準タイプのディスプレイの少なくとも１つを用いてソース・ピクチャ・コンテンツに対して色補正を実行する手段を含み、
色補正を実行する前記手段が、
前記ソース・ピクチャ・コンテンツをマスタリングする手段であって、非基準色域を有する非基準タイプのディスプレイに表示されるマスタリング済み色補正済みピクチャ・コンテンツを提供する、当該手段と、
前記非基準色域を有する前記非基準タイプのディスプレイに表示される前記マスタリング済み色補正済みピクチャ・コンテンツに適用される色域マッピングを用いて、前記ソース・ピクチャ・コンテンツをマスタリングして、基準色域を有する基準タイプのディスプレイに表示されるマスタリング済み色補正済みピクチャ・コンテンツを提供する手段と、
を含む、色補正を行うシステム。
【請求項２６】
前記基準色域を有する前記基準タイプのディスプレイに表示される前記マスタリング済み色補正済みピクチャ・コンテンツが、消費者装置で直接使用される、請求項２５に記載のシステム。
【請求項２７】
前記基準色域を有する前記基準タイプのディスプレイに表示される前記マスタリング済み色補正済みピクチャ・コンテンツが、メタデータおよび前記非基準色域を有する前記非基準タイプのディスプレイに表示される前記マスタリング済み色補正済みピクチャ・コンテンツを用いて、消費者装置に表示される前に前記消費者装置によって再構築される、請求項２５に記載のシステム。
【請求項２８】
前記ソース・ピクチャ・コンテンツをマスタリングして前記非基準色域を有する前記非基準タイプのディスプレイに表示される前記マスタリング済み色補正済みピクチャ・コンテンツを提供する前記手段が、前記基準タイプのディスプレイにおける前記非基準タイプのディスプレイをシミュレートする色域マッピングを用いて、前記非基準色域を有する前記非基準タイプのディスプレイに表示される前記マスタリング済み色補正済みピクチャ・コンテンツを前記基準タイプのディスプレイ上にレンダリングする手段を含む、請求項２５に記載のシステム。
【請求項２９】
前記基準タイプのディスプレイおよび前記非基準タイプのディスプレイが、液晶ディスプレイ、プラズマ・ディスプレイ、陰極線管ディスプレイ、ディジタル・ライト・プロセッシング・ディスプレイ、有機発光ダイオード・ディスプレイ、液晶オン・シリコン・ディスプレイ、およびダイレクト・ドライブ・イメージ・ライト・アンプリファイア・ディスプレイの少なくとも１つである、請求項２５に記載のシステム。
【請求項３０】
前記基準色域を有する前記基準タイプのディスプレイに表示される前記マスタリング済み色補正済みピクチャ・コンテンツが、前記非基準色域を有する前記非基準タイプのディスプレイに表示される前記マスタリング済み色補正済みピクチャ・コンテンツからの派生物である、請求項２５に記載のシステム。